(57)【要約】【課題】  用紙案内部材を別部材として構成し、当該用紙案内部材を画像形成装置本体に対して着脱自在とすることにより、コート紙や厚紙など、種類や状態が異なる用紙であっても、当該用紙が用紙案内部材に接触するのを確実に回避することができるとともに、普通紙等の用紙に対しても良好な案内作用を得ることが可能な画像形成装置を提供することを課題とする。【解決手段】  転写部によってトナー像が転写された用紙を定着手段に案内する用紙案内部材を備えた画像形成装置において、前記用紙案内部材を別部材として構成し、当該用紙案内部材を画像形成装置本体に対して着脱自在として課題を解決した。【選択図】  図１
2006058585.tif 000002
【特許請求の範囲】
【請求項１】
転写部によってトナー像が転写された用紙を定着手段に案内する用紙案内部材を備えた画像形成装置において、前記用紙案内部材を別部材として構成し、当該用紙案内部材を画像形成装置本体に対して着脱自在としたことを特徴とする画像形成装置。
【請求項２】
前記用紙案内部材は、用紙の種類に応じて形状または材質の異なるものが複数種類用意されていることを特徴とする請求項１に記載の画像形成装置。
【請求項３】
前記用紙案内部材は、ユーザーが交換自在に構成されていることを特徴とする請求項１又は２に記載の画像形成装置。
【請求項４】
前記用紙案内部材は、画像形成装置本体に設けられた凹部に係合する係合用の凸部を有していることを特徴とする請求項１乃至３のいずれかに記載の画像形成装置。
【請求項５】
前記用紙案内部材は、その長手方向の両端部に設けられた位置決め部を、画像形成装置本体の位置決め部に嵌合した状態で、長手方向の位置決めを行なうとともに、その背面側に設けられた位置決め部を、画像形成装置本体の位置決め部に嵌合した状態で、長手方向と直交する方向の位置決めを行なうように構成したことを特徴とする請求項１乃至４のいずれかに記載の画像形成装置。
【請求項６】
前記用紙案内部材は、帯電防止処理が施された合成樹脂からなることを特徴とする請求項１乃至５のいずれかに記載の画像形成装置。
【発明の詳細な説明】
【技術分野】
【０００１】
この発明は、電子写真方式を採用したプリンターや複写機等の画像形成装置に関し、特に、トナー像が転写された用紙を定着装置まで案内する用紙案内部材の改良に関するものである。
【背景技術】
【０００２】
【特許文献１】特開２００２−３７２８８８号公報
【０００３】
従来、この種の電子写真方式を採用したプリンターや複写機等の画像形成装置においては、像担持体としての感光体ドラムの表面を帯電器によって所定の電位に帯電した後、画像情報に応じて画像露光を施して静電潜像を形成し、この静電潜像を現像装置によって顕像化することによりトナー像として、当該トナー像を転写用紙上に直接転写したり、中間転写体を介して転写用紙上に転写した後、未定着トナー像が転写された転写用紙を定着装置によって定着することで、画像を形成するように構成されている。
【０００４】
かかる画像形成装置では、未定着トナー像が転写された転写用紙を、転写部と定着装置の間に配設された用紙案内部材によって定着装置へと案内し、当該定着装置によって未定着トナー像が転写された転写用紙を定着するように構成されている。上記用紙案内部材は、転写用紙との接触面積を小さくするため、用紙の搬送方向に沿って延びた複数本のリブを、用紙の搬送方向と直交する方向に沿って互いに平行に配置して構成されている。
【０００５】
上記転写部によってトナー像が転写された転写用紙は、定着装置まで搬送される間に、用紙案内部材のリブに接触すると、当該用紙案内部材のリブとの接触による摩擦帯電によって、転写用紙上に転写されたトナー像が乱される虞れがある。そのため、上記転写用紙は、可能な限り、用紙案内部材のリブと接触しないように、転写部における転写用紙の搬送速度や定着装置における定着速度を設定するように構成されている。
【０００６】
かかる転写部や定着装置における転写用紙の搬送速度を制御する技術としては、例えば、特開２００２−３７２８８８号公報等に開示されているものが既に提案されている。この特開２００２−３７２８８８号公報に係る定着装置は、内部に加熱源を有する加熱ロールと、無端ベルト状に形成された定着ベルトと、前記定着ベルトの両端部を回転自在に支持するベルトガイド部材と、前記定着ベルトの内部に配設されて当該定着ベルトを加熱ロールの表面に圧接させる圧接部材とを備え、前記加熱ロールと定着ベルトの間に形成されるニップ部に、未定着トナー像を担持した記録媒体を通過させることにより定着を行なう定着装置において、前記定着装置の定着速度に変化を与える要因を検知する定着速度変化要因検知手段と、前記定着速度変化要因検知手段の検知結果に応じて、定着速度を変化させる制御を行なう制御手段とを備えるように構成したものである。
【発明の開示】
【発明が解決しようとする課題】
【０００７】
しかし、上記従来技術の場合には、次のような問題点を有している。すなわち、上記特開２００２−３７２８８８号公報に係る定着装置の場合には、定着速度変化要因検知手段の検知結果に応じて、制御手段によって定着速度を変化させることにより、転写用紙と用紙案内部材のリブとの接触を抑制することができるものの、コート紙や厚紙に画像を形成する画像形成装置の場合、コート紙は表面性の違いによる搬送速度の違いが、厚紙は用紙の剛性の違いが、それぞれ用紙の搬送姿勢の違いとなって現れ、用紙案内部材のリブに接触し、摩擦帯電によってトナー像が乱される虞れを有しているという問題点があった。
【０００８】
かかる問題点を回避するためには、用紙案内部材のリブの形状を、転写用紙としてコート紙等の厚紙を使用した場合でも、当該用紙が接触しない形状に設定することも考えられるが、この場合には、普通紙等の転写用紙に対する案内作用が低減し、用紙のジャム等が発生し易くなるという新たな問題点を招来する。
また、両面印刷の裏面に印字する場合は、表面に転写する画像パターンや、用紙の種類あるいは含水状態の違い等によるカールの形成などにより、より一層バラツキが発生し易い。
【０００９】
そこで、この発明は、上記従来技術の問題点を解決するためになされたものであり、その目的とするところは、用紙案内部材を別部材として構成し、当該用紙案内部材を画像形成装置本体に対して着脱自在とすることにより、コート紙や厚紙など、種類や状態が異なる用紙であっても、当該用紙が用紙案内部材に接触するのを確実に回避することができるとともに、普通紙等の用紙に対しても良好な案内作用を得ることが可能な画像形成装置を提供することにある。
【課題を解決するための手段】
【００１０】
上記目的を達成するため、請求項１に記載された発明は、転写部によってトナー像が転写された用紙を定着手段に案内する用紙案内部材を備えた画像形成装置において、前記用紙案内部材を別部材として構成し、当該用紙案内部材を画像形成装置本体に対して着脱自在としたことを特徴とする画像形成装置である。
【００１１】
また、請求項２に記載された発明は、前記用紙案内部材は、用紙の種類に応じて形状又は材質の異なるものが複数種類用意されていることを特徴とする請求項１に記載の画像形成措置である。なお、最終的には、使用状況（環境・用紙含む）によって用紙経路の形状を１つに最適化するのは難しい場合もあるので交換可能とすることが望ましい。
【００１２】
さらに、請求項３に記載された発明は、前記用紙案内部材は、ユーザーが交換自在に構成されていることを特徴とする請求項１又は２に記載の画像形成措置である。
【００１３】
又、請求項４に記載された発明は、前記用紙案内部材は、画像形成装置本体に設けられた凹部に係合する係合用の凸部を有していることを特徴とする請求項１乃至３のいずれかに記載の画像形成措置である。
【００１４】
更に、請求項５に記載された発明は、前記用紙案内部材は、その長手方向の両端部に設けられた位置決め部を、画像形成装置本体の位置決め部に嵌合した状態で、長手方向の位置決めを行なうとともに、その背面側に設けられた位置決め部を、画像形成装置本体の位置決め部に嵌合した状態で、長手方向と直交する方向の位置決めを行なうように構成したことを特徴とする請求項１乃至４のいずれかに記載の画像形成措置である。
【００１５】
また、請求項６に記載された発明は、前記用紙案内部材は、帯電防止処理が施された合成樹脂からなることを特徴とする請求項１乃至５のいずれかに記載の画像形成措置である。
【発明の効果】
【００１６】
この発明によれば、用紙案内部材を別部材として構成し、当該用紙案内部材を画像形成装置本体に対して着脱自在とすることにより、コート紙や厚紙など、種類や状態が異なる用紙であっても、当該用紙が用紙案内部材に接触するのを確実に回避することができるとともに、普通紙等の用紙に対しても良好な案内作用を得ることが可能な画像形成装置を提供することができる。
【発明を実施するための最良の形態】
【００１７】
以下に、この発明の実施の形態について図面を参照して説明する。
【００１８】
実施の形態１
図２はこの発明の実施の形態１に係る画像形成装置としてのタンデム型のフルカラープリンターを示すものであり、図３はこの発明の実施の形態１に係る画像形成装置としてのタンデム型のフルカラープリンターの画像形成部を示すものである。尚、図３中の矢印は、各回転部材の回転方向を示している。
【００１９】
このフルカラープリンター01は、図２及び図３に示すように、イエロー（Ｙ）、マジェンタ（Ｍ）、シアン（Ｃ）、ブラック（Ｋ）用の各感光体ドラム（像担持体）11, 12, 13, 14を有する画像形成ユニット1, 2, 3, 4と、これら感光体ドラム11, 12, 13, 14に接触又は近接する一次帯電用の帯電ロール（帯電手段）21, 22, 23, 24と、イエロー（Ｙ）、マジェンタ（Ｍ）、シアン（Ｃ）、ブラック（Ｋ）の各色のレーザ光31, 32, 33, 34を照射して静電潜像を書き込む図２に示すレーザ光学ユニット（潜像書き込み手段）03と、現像装置（現像手段）41, 42, 43, 44と、上記４つの感光体ドラム11, 12, 13, 14のうちの２つの感光体ドラム11, 12に接触する第１の一次中間転写ドラム（中間転写体）51及び他の２つの感光体ドラム13, 14に接触する第２の一次中間転写ドラム（中間転写体）52と、上記第１、第２の一次中間転写ドラム51, 52に接触する二次中間転写ドラム（中間転写体）53と、この二次中間転写ドラム53に接触する転写ロール（転写部材）60とで、その主要部が構成されている。
【００２０】
感光体ドラム11, 12, 13, 14は、図３に示すように、共通の接平面M を有するように一定の間隔をおいて互いに平行に配置されている。また、第１の一次中間転写ドラム51及び第２の一次中間転写ドラム52は、各回転軸が該感光体ドラム11, 12, 13, 14軸に対し平行かつ所定の対称面を境界とした面対称の関係にあるように配置されている。さらに、二次中間転写ドラム53は、該感光体ドラム11, 12, 13, 14と回転軸が平行であるように配置されている。
【００２１】
各色毎の画像情報に応じた信号は、図示しない画像処理ユニットによりラスタライジングされて図２に示すレーザ光学ユニット03に入力される。このレーザ光学ユニット03では、イエロー（Ｙ）、マジェンタ（Ｍ）、シアン（Ｃ）、ブラック（Ｋ）の各色のレーザ光31, 32, 33, 34が画像情報に応じて変調され、対応する色の感光体ドラム11, 12, 13, 14に照射されて静電潜像が書き込まれる。
【００２２】
上記各感光体ドラム11, 12, 13, 14の周囲では、周知の電子写真方式による各色毎の画像形成プロセスが実行される。まず、上記感光体ドラム11, 12, 13, 14としては、例えば、直径24ｍｍのＯＰＣ感光体を用いた感光体ドラムが用いられ、これらの感光体ドラム11, 12, 13, 14は、例えば、161 ｍｍ／ｓｅｃの回転速度で回転駆動される。上記感光体ドラム11, 12, 13, 14の表面は、図３に示すように、接触型帯電手段としての帯電ロール21, 22, 23, 24に、約-800ＶのＤＣ電圧を印加することによって、例えば約-300Ｖ程度に帯電される。なお、上記接触型の帯電手段としては、ロールタイプのもの、フィルムタイプのもの、ブラシタイプのもの等が挙げられるが、どのタイプのものを用いても良い。この実施の形態では、近年、電子写真装置で一般に使用されている帯電ロールを採用している。また、感光体ドラム11, 12, 13, 14の表面を帯電させるために、この実施の形態では、ＤＣのみ印加の帯電方式をとっているが、ＡＣ＋ＤＣ印加の帯電方式を用いても良い。
【００２３】
その後、感光体ドラム11, 12, 13, 14の表面には、露光手段としてのレーザ光学ユニット03によってイエロー（Ｙ）、マジェンタ（Ｍ）、シアン（Ｃ）、ブラック（Ｋ）の各色に対応したレーザ光31, 32, 33, 34が照射され、各色毎の入力画像情報に応じた静電潜像が形成される。感光体ドラム11, 12, 13, 14は、レーザ光学ユニット03で静電潜像が書き込まれた際に、その画像露光部の表面電位は-60 Ｖ以下程度にまで除電される。
【００２４】
また、上記感光体ドラム11, 12, 13, 14の表面に形成されたイエロー（Ｙ）、マジェンタ（Ｍ）、シアン（Ｃ）、ブラック（Ｋ）の各色に対応した静電潜像は、対応する色の現像装置41, 42, 43, 44によって現像され、感光体ドラム11, 12, 13, 14上にイエロー（Ｙ）、マジェンタ（Ｍ）、シアン（Ｃ）、ブラック（Ｋ）の各色のトナー像として可視化される。
【００２５】
この実施の形態では、現像装置41, 42, 43, 44として、磁気ブラシ接触型の二成分現像方式を採用しているが、この現像方式に限定されるものではなく、一成分現像方式や非接触型の現像方式など、他の現像方式においてもこの発明を充分に適用することができることは勿論である。
【００２６】
現像装置41, 42, 43, 44には、それぞれ色の異なったイエロー（Ｙ）、マジェンタ（Ｍ）、シアン（Ｃ）、ブラック（Ｋ）色のトナーと、キャリアからなる二成分現像剤が充填されている。これらの現像装置41, 42, 43, 44は、図２に示すトナーカートリッジ04Y,04M,04C,04K からトナーが補給されると、この補給されたトナーは、図３に示すように、オーガー404 で充分にキャリアと攪拌されて摩擦帯電される。現像ロール401 の内部には、複数の磁極を所定の角度に配置したマグネットロール（不図示）が固定した状態で配置されている。この現像ロール401 に現像剤を搬送するパドル403 によって、当該現像ロール401 の表面近傍に搬送された現像剤は、現像剤量規制部材402 によって現像部に搬送される量が規制される。この実施の形態では、上記現像剤の量は、30〜50ｇ／ｍ2 であり、また、このとき現像ロール401 上に存在するトナーの帯電量は、概ね-20 〜35μＣ／g 程度である。
【００２７】
上記現像装置41, 42, 43, 44で使用されるトナーとしては、次式で規定される形状係数ＭＬＳ２が１００〜１４０、例えば、ＭＬＳ２＝１３０程度のもので、平均粒径が３μｍ〜１０μｍの所謂" 球形トナー" が用いられる。
ＭＬＳ２＝｛（トナー粒子の絶対最大長）2 ）｝
／｛（トナー粒子の投影面積）×π×１／４×１００｝
【００２８】
上記現像ロール401 上に供給されたトナーは、マグネットロールの磁力によって、キャリアとトナーで構成された磁気ブラシ状となっており、この磁気ブラシが感光体ドラム11, 12, 13, 14と接触している。この現像ロール401 にAC＋DCの現像バイアス電圧を印加して、現像ロール401 上のトナーを感光体ドラム11, 12, 13, 14上に形成された静電潜像に現像することにより、トナー像が形成される。この実施の形態では、現像バイアス電圧はＡＣが4 ｋＨｚ、1.3 ｋＶppで、ＤＣが-230Ｖ程度である。
【００２９】
次に、上記各感光体ドラム11, 12, 13, 14上に形成されたイエロー（Ｙ）、マジェンタ（Ｍ）、シアン（Ｃ）、ブラック（Ｋ）の各色のトナー像は、第１の一次中間転写ドラム51及び第２の一次中間転写ドラム52上に、静電的に二次転写される。感光体ドラム11, 12上に形成されたイエロー（Ｙ）及びマジェンタ（Ｍ）色のトナー像は、第１の一次中間転写ドラム51上に、感光体ドラム13, 14上に形成されたシアン（Ｃ）及びブラック（Ｋ）色のトナー像は、第２の一次中間転写ドラム52上に、それぞれ転写される。従って、第１の一次中間転写ドラム51上には、感光体ドラム11または12のどちらから転写された単色像と、感光体ドラム11及び12の両方から転写された２色のトナー像が重ね合わされた二重色像が形成されることになる。また、第２の一次中間転写ドラム52上にも、感光体ドラム13,14 から同様な単色像と二重色像が形成される。
【００３０】
上記第１及び第２の一次中間転写ドラム51,52 上に感光体ドラム11,12,13,14 からトナー像を静電的に転写するために必要な表面電位は、+250〜500 Ｖ程度である。この表面電位は、トナーの帯電状態や雰囲気温度、湿度によって最適値に設定されることになる。この雰囲気温度や湿度は、図２に示すように、雰囲気温度及び湿度を検出する環境センサによって検出される。上述のように、トナーの帯電量が-20 〜35μＣ／g の範囲内にあり、常温常湿環境下にある場合には、第１及び第２の一次中間転写ドラム51,52 の表面電位は、+380Ｖ程度が望ましい。
【００３１】
この実施の形態で用いる第１、第２の一次中間転写ドラム51, 52は、例えば、外径が42ｍｍに形成され、抵抗値は１０8 Ω程度に設定される。第１、第２の一次中間転写ドラム51, 52は、単層、あるいは複数層からなる表面が可撓性、もしくは弾性を有する円筒状の回転体であり、一般的にはＦｅやＡｌ等からなる金属製コアとしての金属パイプの上に、導電性シリコーンゴム等で代表される低抵抗弾性ゴム層（Ｒ＝102 〜103 Ω）が、厚さ0.1 〜10mm程度に設けられている。更に、第１、第２の中間転写ドラム51, 52の最表面は、代表的にはフッ素樹脂微粒子を分散させたフッ素ゴムを厚さ3 〜100 μｍの高離型層（Ｒ＝105 〜109 Ω）として形成し、シランカップリング剤系の接着剤（プライマ）で接着されている。ここで重要なのは、抵抗値と表面の離型性であり、高離型層の抵抗値がＲ＝105 〜109 Ω程度であり、高離型性を有する材料であれば、特に材料は限定されない。
【００３２】
このように第１、第２の一次中間転写ドラム51, 52上に形成された単色又は二重色のトナー像は、二次中間転写ドラム53上に静電的に二次転写される。従って、二次中間転写ドラム53上には、単色像からイエロー（Ｙ）、マジェンタ（Ｍ）、シアン（Ｃ）、ブラック（Ｋ）色の四重色像までの最終的なトナー像が形成されることになる。
【００３３】
この二次中間転写ドラム53上へ第１及び第２の一次中間転写ドラム51,52 からトナー像を静電的に転写するために必要な表面電位は、+600〜1200Ｖ程度である。この表面電位は、感光体ドラム11, 12, 13, 14から第１の一次中間転写ドラム51及び第２の一次中間転写ドラム52へ転写するときと同様に、トナーの帯電状態や雰囲気温度、湿度によって最適値に設定されることになる。また、転写に必要なのは、第１及び第２の一次中間転写ドラム51,52 と二次中間転写ドラム53との間の電位差であるので、第１及び第２の一次中間転写ドラム51,52 の表面電位に応じた値に設定することが必要である。上述のように、トナーの帯電量が-20 〜35μＣ／g の範囲内にあり、常温常湿環境下であって、第１及び第２の一次中間転写ドラム51,52 の表面電位が+380Ｖ程度の場合には、二次中間転写ドラム53の表面電位は、+880Ｖ程度、つまり第１及び第２の一次中間転写ドラム51,52 と二次中間転写ドラム53との間の電位差は、+500Ｖ程度に設定することが望ましい。
【００３４】
この実施の形態で用いる二次中間転写ドラム53は、例えば、外径が第１及び第２の一次中間転写ドラム51,52 と同じ42ｍｍに形成され、抵抗値は１０11Ω程度に設定される。また、上記二次中間転写ドラム53も第１、第２の一次中間転写ドラム51, 52と同様、単層、あるいは複数層からなる表面が可撓性、もしくは弾性を有する円筒状の回転体であり、一般的にはＦｅやＡｌ等からなる金属製コアとしての金属パイプの上に、導電性シリコーンゴム等で代表される低抵抗弾性ゴム層（Ｒ＝102 〜103 Ω）が、厚さ0.1 〜10mm程度に設けられている。更に、二次中間転写ドラム53の最表面は、代表的にはフッ素樹脂微粒子を分散させたフッ素ゴムを厚さ3 〜100 μｍの高離型層として形成し、シランカップリング剤系の接着剤（プライマ）で接着されている。ここで、二次中間転写ドラム53の抵抗値は、第１及び第２の一次中間転写ドラム51,52 よりも高く設定する必要がある。そうしないと、二次中間転写ドラム53が第１及び第２の一次中間転写ドラム51,52 を帯電してしまい、第１及び第２の一次中間転写ドラム51,52 の表面電位の制御が難しくなる。このような条件を満たす材料であれば、特に材料は限定されない。
【００３５】
次に、上記二次中間転写ドラム53上に形成された単色像から四重色像までの最終的なトナー像は、最終転写ロール60によって、用紙搬送路を通る転写用紙Ｐ上に３次転写される。この転写用紙Ｐは、図２に示すように、給紙カセット91から紙送り工程を経てレジストローラ90を通過し、二次中間転写ドラム53と転写ロール60のニップ部に送り込まれる。この最終転写工程の後、転写用紙101 上に形成された最終的なトナー像は、定着器70によって熱及び圧力で定着され、フルカラープリンター01の上部に設けられた排出トレイＴ上に排出され、一連の画像形成プロセスが完了する。
【００３６】
最終転写ロール60は、例えば、外径が20ｍｍに形成され、抵抗値は１０8 Ω程度に設  定される。この最終転写ロール60は、例えば、金属シャフトの上にエピクロロヒドリンが添加されたＮＢＲ等からなる発泡層を設け、その上にポリイミドによるチューブを被覆して構成されている。最終転写ロール60に印加される電圧は、雰囲気温度、湿度、用紙の種類（抵抗値等）等によって最適値が異なり、概ね+1200 〜5000Ｖ程度である。この実施の形態では、定電流方式を採用しており、常温常湿環境下で約+20 μＡの電流を通電して、ほぼ適正な転写電圧(+2000〜3000Ｖ) を得ている。
【００３７】
また、上記転写用紙Ｐの両面に画像を形成する場合には、図２に示すように、片面に画像が形成された転写用紙Ｐをそのまま排出トレイＴ上に排出せずに、表裏を反転した状態で転写用紙Ｐを両面用の用紙搬送路07を介して、当該転写用紙Ｐを再度転写部へと搬送し、転写用紙Ｐの裏面に画像が形成される。
【００３８】
なお、図２中、符号08は図示しない手差しトレイから供給される転写用紙Ｐを搬送する給紙ロール、09は制御回路、10は電源回路をそれぞれ示している。
【００３９】
ところで、この実施の形態では、転写部によってトナー像が転写された用紙を定着手段に案内する用紙案内部材を備えた画像形成装置において、前記用紙案内部材を別部材として構成し、当該用紙案内部材を画像形成装置本体に対して着脱自在とするように構成されている。
【００４０】
また、この実施の形態では、前記用紙案内部材は、用紙の種類に応じて形状や材質の異なるものが複数種類用意されている。
【００４１】
さらに、この実施の形態では、前記用紙案内部材は、ユーザーが交換自在に構成されている。
【００４２】
又、この実施の形態では、前記用紙案内部材は、画像形成装置本体に設けられた凹部に係合する係合用の凸部を有するように構成されている。
【００４３】
更に、この実施の形態では、前記用紙案内部材は、その長手方向の両端部に設けられた位置決め部を、画像形成装置本体の位置決め部に嵌合した状態で、長手方向の位置決めを行なうとともに、その背面側に設けられた位置決め部を、画像形成装置本体の位置決め部に嵌合した状態で、長手方向と直交する方向の位置決めを行なうように構成されている。
【００４４】
また、この実施の形態では、前記用紙案内部材は、帯電防止処理が施された合成樹脂からなるように構成されている。
【００４５】
すなわち、この実施の形態では、図３に示すように、二次中間転写ドラム53と最終転写ロール60が圧接する転写部によって、当該二次中間転写ドラム53上からトナー像が転写された転写用紙Ｐが、用紙案内部材100 によって定着装置70へと案内されるように構成されている。
【００４６】
この用紙案内部材100 は、図４及び図５に示すように、プリンター本体200 とは別体に着脱自在に構成されている。また、上記用紙案内部材100 は、例えば、ＰＰ、ＡＢＳ、ＰＣ、ＰＳ等の合成樹脂によって一体成形されるが、カーボン等の導電剤が充填されて導電処理が施されたＡＢＳや、転写用紙と接触した際にトナーと逆極性である正極性に摩擦帯電する帯電系列を有するＰＰ等によって形成するのが望ましい。さらに、上記用紙案内部材100 は、普通紙やコート紙等の用紙の種類に応じて、複数種類のものが用意されている。
【００４７】
また、上記用紙案内部材100 は、図４及び図５に示すように、用紙案内部101 を構成するために、用紙の搬送方向に沿って形成された複数のリブ102 を、用紙の搬送方向と直交する方向に沿って所定の間隔で配置して構成されている。上記リブ102 は、図５に示すように、中央部が僅かに間隔が広く、その両側に沿って当該間隔よりも僅かに狭い一定の間隔で配置されているとともに、その両端部には、広い間隔及びやや広い間隔を隔てて配置されている。
【００４８】
さらに、上記用紙案内部材100 のリブ102 は、図４（ｂ）（ｃ）に示すように、その用紙と接触する用紙案内部101 の形状が、転写部を通過した用紙Ｐを案内するように、所定の湾曲形状を有するように形成されている。このリブ102 の用紙案内部101 の湾曲形状は、普通紙やコート紙等の用紙の種類に応じて、異なった形状に設定されている。転写用紙Ｐが普通紙である場合には、用紙の腰（合成）がそれ程強くないため、転写部を通過した転写用紙の湾曲量もそれ程大きくない。そのため、上記リブの湾曲形状は、それ程大きくなく、転写部を通過した転写用紙Ｐの先端エッジ部が、リブの表面に当接して、当該転写用紙Ｐの進行方向が定着装置70の方向へと変更され、転写用紙Ｐの裏面がリブ102 に接触することなく、定着装置70へ案内されるように設定されている。
【００４９】
これに対して、転写用紙Ｐがコート紙や厚紙等である場合、コート紙は表面性の違いによる搬送速度の違いが、厚紙は用紙の剛性の違いが、それぞれ用紙の搬送姿勢の違いとなって現れる。そのため、上記リブの湾曲形状は、相対的に大きく形成されており、転写部を通過した転写用紙が大きく湾曲した場合でも、転写用紙の裏面がリブの表面に接触することなく、転写用紙の先端エッジ部のみがリブの表面に当接して、当該転写用紙の進行方向が定着装置70の方向へと変更され、転写用紙の裏面がリブに接触することなく、定着装置70へ案内されるように設定されている。
【００５０】
更に説明すると、上記転写用紙Ｐが普通紙である場合には、用紙の腰（剛性）がそれ程大きくないため、用紙案内部材100 の用紙案内部101 の湾曲形状が、図４（ｂ）（ｃ）に示すように、それ程大きく湾曲していないものが用いられる。一方、転写用紙Ｐがコート紙等の厚紙である場合には、用紙の腰（剛性）が大きいため、用紙案内部材100 の用紙案内部101 の湾曲形状が、図６（ａ）（ｂ）に示すように、大きく湾曲したものが用いられる。
【００５１】
また、上記用紙案内部材100 は、図３に示すように、プリンター本体200 に着脱自在に構成されている。この用紙案内部材100 の長手方向に沿った両端面の下端部には、図４に示すように、円柱形状の位置決め部材103 、104 がそれぞれ突設されている。上記一方の位置決め部材104 は、図７及び図８に示すように、プリンター本体200 に設けられた位置決め用の孔105 に嵌合固定されるとともに、他方の位置決め部材103 は、プリンター本体200 に設けられた断面Ｕ字形状の凹溝106 に嵌合固定されるように構成されている。さらに、上記用紙案内部材100 の背面側の上端部には、図４及び図５に示すように、中央部近傍に２箇所、両端部に１箇所ずつ位置決め部材107 がそれぞれ突設されている。上記位置決め部材107 は、背面側に向けて所定の隙間を開けて下向きに折り曲げた状態で形成されており、当該位置決め部材107 は、図８に示すように、プリンター本体200 に設けられた平板状の位置決め部108 に、係合することによって位置決めするように構成されている。
【００５２】
さらに、上記用紙案内部材100 の長手方向一端部寄りの背面側には、図４及び図５に示すように、水平方向に伸びた片持ち梁状に設けられた突片109 が一体的に形成されており、当該突片109 の先端部の背面側には、平面三角形状に形成された係合用の凸部110 が設けられている。そして、この係合用の凸部110 は、図８に示すように、プリンター本体200 に設けられた凹部111 に係合することによって、用紙案内部材100 をプリンター本体200 に固定するように構成されている。
【００５３】
以上の構成において、この実施の形態に係るフルカラープリンターでは、次のようにして、用紙案内部材を別部材として構成し、当該用紙案内部材を画像形成装置本体に対して着脱自在とすることにより、コート紙等の厚紙に対して、当該用紙が用紙案内部材に接触するのを確実に回避することができるとともに、普通紙等の用紙に対しても良好な案内作用を得ることが可能となっている。
【００５４】
すなわち、上記の如く構成されるフルカラープリンター01では、図３乃至図５に示すように、転写部から定着装置70まで転写用紙Ｐを案内する用紙案内部材100 が、独立した別部材として構成されており、この用紙案内部材100 は、プリンター本体200 に対して着脱自在となっている。また、上記用紙案内部材100 は、主に画像形成を行なう転写用紙Ｐの種類に応じて、複数種類が用意されており、ユーザー自身が交換に可能となっている。用紙案内部材100 を交換するには、図９に示すように、プリンターのフロントカバー120 を開けた状態で、定着装置70を取り外して、用紙案内部材100 を露出させる。その後、上記用紙案内部材100 は、図１に示すように、突片109 に設けられた凸部110 を背面側から指で押して、当該凸部110 とプリンター本体200 側の凹部111 との係合状態を解除した後、当該用紙案内部材100 の全体を横方向（図１中、左方向）にスライドさせることにより、位置決め部材104 と孔105 との嵌合状態が解除される。そして、上記用紙案内部材100 を鉛直方向の上方に引き上げることによって、用紙案内部材100 の位置決め部材103 とプリンター本体200 の位置決め部材106 との係合状態を解除し、当該用紙案内部材100 をプリンター本体200 から取り外すようになっている。
【００５５】
次に、上記フルカラープリンター01では、必要に応じて、用紙案内部材100 を所望のものと交換し、上述した操作と逆の操作で、当該用紙案内部材100 をプリンター本体200 に装着するようになっている。そして、上記プリンター01では、図９に示すように、定着装置70を装着した後、フロントカバー120 を閉じることによって、プリント動作が可能となっている。
【００５６】
このように、上記実施の形態では、用紙案内部材100 を別部材として構成し、当該用紙案内部材100 をプリンター本体200 に対して着脱自在とすることにより、コート紙や厚紙など、種類や状態が異なる用紙であっても、当該用紙Ｐが用紙案内部材100 に接触するのを確実に回避することができるとともに、普通紙等の用紙Ｐに対しても良好な案内作用を得ることが可能となっている。
【図面の簡単な説明】
【００５７】
【図１】図１はこの発明の実施の形態１に係る画像形成装置としてのタンデム型のフルカラープリンターの要部を示す斜視構成図である。
【図２】図２はこの発明の実施の形態１に係る画像形成装置としてのタンデム型のフルカラープリンターを示す構成図である。
【図３】図３はこの発明の実施の形態１に係る画像形成装置としてのタンデム型のフルカラープリンターの画像形成部を示す構成図である。
【図４】図４は用紙案内部材を示す構成図である。
【図５】図５は用紙案内部材を示す構成図である。
【図６】図６は他の用紙案内部材を示す側面図である。
【図７】図７は用紙案内部材の装着状態を示す正面図である。
【図８】図８は用紙案内部材の装着状態を示す平面図である。
【図９】図９はフルカラープリンターのフロントカバーを開いた状態を示す構成図である。
【符号の説明】
【００５８】
100 ：用紙案内部材、103 、104 ：位置決め部材、200 ：プリンター本体。
【図１】
2006058585.tif 000003
【図２】
2006058585.tif 000004
【図３】
2006058585.tif 000005
【図４】
2006058585.tif 000006
【図５】
2006058585.tif 000007
【図６】
2006058585.tif 000008
【図７】
2006058585.tif 000009
【図８】
2006058585.tif 000010
【図９】
2006058585.tif 000011